(57)【要約】【課題】組立分解・脱出経路の変更が容易であって、部材を廃棄する場合にも廃棄性の優位な迷路部材の提供する事である。【解決手段】数点以上の生分解性発泡体部材を使用し、組立分解を容易にしたことを最も主要な特徴とする。【選択図】図１
2005218481.tif 000002
【特許請求の範囲】
【請求項１】
方形板状に形成し、生分解性繊維を内部に持つ生分解性発泡体であって、着脱可能な係合部材を係合することによって、脱出経路を自在に構成することを特徴とする迷路用部材。
【請求項２】
方形板状に形成した生分解性発泡体であって、着脱可能な係合部材を係合することによって、脱出経路を自在に構成することを特徴とする迷路用部材。
【請求項３】
一ヶ所以上の着脱可能な系合部を持つ生分解性発泡体であって、着脱可能な方形板材と係合することによって、脱出経路を自在に構成することを特徴とする迷路用部材。
【発明の詳細な説明】
【技術分野】
【０００１】
本発明は、生分解性発泡体を使用した脱出経路を自在に構成することができる迷路部材に関するものである。
【背景技術】
【０００２】
迷路の起源は古代におよび、町全体を迷路にする場合があった。又、庭園に迷路を作る場合もある。ゲーム性の高いものとして、紙に書かれた迷路もあり、さらに遊園地等において、巨大迷路と呼ばれる体験型施設まであった。しかし、ゲームとしての迷路の場合、同じ脱出経路を持つ迷路に対しては興味がなくなるため、脱出経路を容易に変更できる迷路であることが.必要であった。
【０００３】
これに対し、屋内で行う体験型迷路は少ないが、ダンボール紙で作った迷路、ウレタンホームで作る迷路（特開２００１−４６７５５、組立式の迷路及び迷路用パーツ）が知られている。ダンボール紙で作った迷路の場合、迷路の組立にガムテープ等にてダンボール紙同士を接続しているが、迷路の脱出経路変更時、又は迷路を分解し迷路部材を収納する、また組立するなどを繰り返した場合、ガムテープの貼り付け、はがしなどにより、外観的に汚くなるなどの問題があった。
【０００４】
この対策として、ウレタンホームで作る迷路があるが、この場合、迷路としての使用を止め、ウレタンホーム部材を廃棄する時に環境問題が発生し、容易に廃棄できない社会情勢になってきている。
【０００５】
近年、環境問題対策として生分解性材料が開発されてきている。この中には、生分解性発泡体もあり、本案発明者が提案している生分解性発泡体（特願２００３−１６９８９４）は、海中や土壌中の自然環境化におけるバクテリア及び加水分解により侵食分解される環境にやさしい生分解性であって、発泡体としての従来の緩衝効果を保ちつつ、形成された形状から、部分的においても断裂分離しにくい生分解性発泡体を説明している。
【特許文献１】出願番号、特願２００３−１６９８９４号、特開２００１−４６７５５号公報
【発明の開示】
【発明が解決しようとする課題】
【０００６】
解決しようとする課題は、組立分解・脱出経路の変更が容易であって、部材を廃棄する場合にも廃棄性の優位な迷路部材の提供する事である。
【課題を解決するための手段】
【０００７】
本発明は、数点以上の生分解性発泡体部材を使用し、組立分解を容易にしたことを最も主要な特徴とする。
【発明の効果】
【０００８】
本発明の生分解性発泡体による迷路用部材は、生分解性材料で作製されており、廃棄時に焼却されても、焼却炉を傷める高温も発生せず、仮に海、土中に廃棄された場合も海水中又は土中のバクテリアによって分解されるという利点がある。
【発明を実施するための最良の形態】
【０００９】
脱出経路を自在に構成することができる最低限の迷路部材としては、経路を分ける遮蔽壁と遮蔽壁を接続又は自立保持する為の部材が必要となる。生分解性発泡体にて遮蔽壁となる方形板材及び遮蔽壁を接続又は自立保持する部材を作製することによりこれを実現した。
【実施例１】
【００１０】
図１は、本発明迷路の１実施例である。１は方形板材、２は接続柱、３は下部マット、５は蓋板である。実施例１では下部マット３を２５枚使用し、下部マット３のコーナー部に接続柱２を立て、接続柱３間に方形板材１を配し、迷路を構成している。図１では手前中央を入り口、奥中央を出口と設定している。しかし蓋板５を配しているため、一見では脱出経路がわからず、迷路としての難度を上げている。
【００１１】
図２は、図１の状態に対し、蓋板５を取り除き、さらに数個の方形板材１、接続柱２、下部マット３を外した状態を示す説明図である。迷路の組立は以下の順によって行っている。まず、２５枚の下部マット３を、下部マット３の凹凸系合部３２を組み合わせ、図５で示すように配置する。そのとき、下部マット３のマット穴３１には、下部柱４を通しておく。
【００１２】
次に、下部マット３から頭を出した状態の下部柱４に対し、接続柱２の下面に開けた穴に通し、接続柱２を固定する。この時、接続柱２と下部柱４は、下部マット３のマット穴３１を通しサンドイッチした状態となり、倒れ、移動のおきにくい状態となっている。さらに、接続柱２の溝２１に方形板材１をスライド挿入する。以上にて迷路として完成となる。
【００１３】
さらに、迷路の難易度を上げる。又は、さらに柱・壁の倒れを予防するため、蓋板５の蓋板穴５を、接続柱２の上部突起２２に合わせ組み付けることもできる。
【００１４】
図８は、迷路の脱出経路変更を示す説明図である。図８では方形板材１を、縦横とも５枚づつ並べる状況を示し、方形板材１の位置を移動することにより変化する脱出経路８を示している。図８では、８種類の経路を示しているが、迷路の出入口を自由に移動した場合、４０通り以上の脱出経路を設定することも可能である。さらに方形板材１の縦横枚数を増やした場合、非常に多種の脱出経路を作ることができ、遊戯者をあきさせる可能性は極めて低くなる。
【００１５】
図９は、本発明迷路の実施例２であって、簡易型迷路を示している。方形板材１は、下部台座６の台座溝６１の間に押し込むことにて勘合させている。また方形板材１の上部にも上部固定具７を圧入し、安定を図っている。
【００１６】
ここで示す方形板材１等の部材は、全て生分解性発泡体であるため、迷路を使用する遊戯者が幼児であっても、ケガをさせる可能性は極めて低く安全性が高い。
【００１７】
また、本迷路は組立式であるが、材料が生分解性発泡体であることで部材が非常に軽く、組立分解収納に負担がかかりにくい。
【産業上の利用可能性】
【００１８】
大きめの自宅を有する個人、幼稚園・保育園、集会場における子供の遊戯施設、デパート・大規模小売店等の子供遊技場等の遊戯施設として適用できる。
【図面の簡単な説明】
【００１９】
【図１】本発明の迷路の実施例である。（実施例１）
【図２】図１の状態に対し、蓋板５を取り除き、さらに数個の方形板材１、接続柱２、下部マット３を外した状態を示す説明図である。
【図３】方形板材１を示す斜視図である。
【図４】接続柱２を示す斜視図である。
【図５】下部マット３を２５枚敷き詰めた状態を示す斜視図である。
【図６】下部柱４を示す斜視図である。
【図７】蓋板５を示す斜視図である。
【図８】迷路の脱出経路変更を示す説明図である。
【図９】方形板材１と下部接続部材６、上部接続部材７を示す説明図である。（実施例２）
【図１０】下部接続部材６を示す斜視図である。
【図１１】上部接続部材７を示す斜視図である。
【符号の説明】
【００２０】
１    方形板材
２    接続柱
２１  溝
２２  上部突起
３    下部マット
３１  マット穴
３２  凹凸系合部
４    下部柱
５    蓋板
５１  蓋板穴
５２  開放穴
６    下部台座
６１  台座溝
７    上部固定具
７１  固定具溝
８    脱出経路
【図１】
2005218481.tif 000003
【図２】
2005218481.tif 000004
【図３】
2005218481.tif 000005
【図４】
2005218481.tif 000006
【図５】
2005218481.tif 000007
【図６】
2005218481.tif 000008
【図７】
2005218481.tif 000009
【図８】
2005218481.tif 000010
【図９】
2005218481.tif 000011
【図１０】
2005218481.tif 000012
【図１１】
2005218481.tif 000013